(57)【要約】【課題】機能性とデザイン性の両方を有するケースを提供することを目的とする。【解決手段】収納部２−１〜２−８から構成される環状収納部２と、中心収納部３とを備え、収納部２−１〜２−８のうち両端の収納部２−１、２−８同士を環状収納部２が環状になるように連結し、環状収納部２の中心部に中心収納部３を配置し、ケース１全体が八角形の底面をもつ柱体になるようにする。【選択図】 図１
0003132176.tif 000002
【実用新案登録請求の範囲】
【請求項１】
それぞれ同一形状の複数の収納部が並んで構成され、かつ、前記複数の収納部の開口部がそれぞれ内側を向きながら前記複数の収納部全体が環状になるように前記複数の収納部のうち両端の収納部同士が連結される環状収納部と、
前記複数の収納部が環状になるときの前記環状収納部の中心部に配置される中心収納部と、
を備えることを特徴とするケース。
【請求項２】
請求項１に記載のケースであって、
前記複数の収納部は、それぞれ、底面及びその底面を囲む３つの側面を有し、
前記複数の収納部のそれぞれの前記３つの側面のうちの一側面は、前記複数の収納部が環状になるとき、隣り合う収納部同士において共通の側面になる、
ことを特徴とするケース。
【請求項３】
請求項１に記載のケースであって、
前記環状収納部の外側に、さらに別の前記環状収納部が配置される、
ことを特徴とするケース。
【請求項４】
請求項１に記載のケースであって、
前記環状収納部の中心部に前記中心収納部が配置されるときの当該ケース全体が柱体になる、
ことを特徴とするケース。
【請求項５】
請求項１に記載のケースであって、
前記中心収納部は、柱体に形成されている、
ことを特徴とするケース。
【考案の詳細な説明】
【技術分野】
【０００１】
本願考案は、ジュエリーやリストウォッチなどを複数収納することが可能なケースに関する。
【背景技術】
【０００２】
従来におけるケースとして、例えば、内部が仕切りなどによって複数に仕切られているものがある。このように、ケースの内部が仕切りなどによって複数に仕切られているものは、ものを整理して収納することができ機能性を有している。
【０００３】
また、装飾が施されたものやケース全体の形状を工夫したものなど、デザイン性を重視したケースもある。
【考案の開示】
【考案が解決しようとする課題】
【０００４】
しかしながら、デザイン性を重視すると各収納部の空間を有効利用することが難しくなり機能性が低くなるおそれがあり、反対に、機能性を重視するとケース全体が単純化するため、デザイン性が低くなるおそれがある。そのため、従来では、機能性とデザイン性の両方を有するケースはあまり考えられていない。
【０００５】
そこで、本願考案では、機能性とデザイン性の両方を有するケースを提供することを目的とする。
【課題を解決するための手段】
【０００６】
上記課題を解決するために本願考案では以下のような構成を採用する。
すなわち、本願考案は、それぞれ同一形状の複数の収納部が並んで構成され、かつ、前記複数の収納部の開口部がそれぞれ内側を向きながら前記複数の収納部全体が環状になるように前記複数の収納部のうち両端の収納部同士が連結される環状収納部と、前記複数の収納部が環状になるときの前記環状収納部の中心部に配置される中心収納部とを備える。
【０００７】
このように、複数の収納部を備えているので、各収納部にそれぞれものを収納することができ機能性を有する。また、複数の収納部が環状になるときの環状収納部の中心部に中心収納部を配置する構成であるため、デザイン性も有する。
【０００８】
また、前記複数の収納部は、それぞれ、底面及びその底面を囲む３つの側面を有し、前記複数の収納部のそれぞれの前記３つの側面のうちの一側面は、前記複数の収納部が環状になるとき、隣り合う収納部同士において共通の側面になるように構成してもよい。
【０００９】
また、上記ケースにおいて、前記環状収納部の外側に、さらに別の前記環状収納部が配置されていてもよい。
また、上記ケースにおいて、前記複数の収納部の中心部に前記中心収納部が配置されたときの当該ケース全体が柱体になるように構成してもよい。
【００１０】
また、前記中心収納部は、柱体に形成されていてもよい。
【考案の効果】
【００１１】
本願考案によれば、ケースに機能性とデザイン性の両方を有することができる。
【考案を実施するための最良の形態】
【００１２】
以下、図面を用いて、本願考案の実施形態を説明する。
図１（ａ）は、本願考案の実施形態のケースを示す図である。図１（ｂ）は、図１（ａ）に示すケースを矢印Ａ方向から見たときの図である。図１（ｃ）は、本実施形態のケースの斜視図である。
【００１３】
図１（ａ）〜図１（ｃ）に示すケース１は、互いに同一形状の複数の収納部２−１〜２−８が並んで構成される環状収納部２と、収納部２−１〜２−８が環状になるときの環状収納部２の中心部に配置される中心収納部３とを備えて構成されている。ケース１は、環状収納部２の中心部に中心収納部３が配置されるとき全体の形状が八角形の底面をもつ柱体になるように形成されている。
【００１４】
このように、本実施形態のケース１は、収納部２−１〜２−８で構成される環状収納部２を備えているので、各収納部２−１〜２−８にそれぞれものを収納することができ機能性を有する。また、本実施形態のケース１は収納部２−１〜２−８が環状になるときの環状収納部２の中心部に中心収納部３を配置する構成であるため、デザイン性も有する。
【００１５】
本実施形態のケース１全体の大きさは特に限定されず、ケース１内に収納するものとしては、例えば、ジュエリー、リストウォッチ、メガネ、ランジェリー（ストッキングなど）、薬、つり用具、コイン（貨幣）、化粧品、靴などが考えられる。
【００１６】
また、本実施形態のケース１は、手提げ部分を取り付けてバックとして使用してもよい。
また、本実施形態のケース１は、お菓子（キャンディやチョコレートなど）、化粧品、ランジェリーなどを収納して贈り物用のパッケージとして使用してもよい。
【００１７】
また、本実施形態のケース１は、中心部分に中心収納部３が配置されているので、柱体の底面間の方向に対する強度が高く、チェア、テーブル、またはテーブルの足として使用することができる。例えば、本実施形態のケース１内にお酒やコップなどを収納し、そのケース１をテーブルやテーブルの足として使用する場合は、ミニバーとして使用することができる。すなわち、本実施形態のケース１は、物入れ兼インテリアとして使用することができる。
【００１８】
また、本実施形態のケース１は、図１（ａ）に示す状態から柱体の側面において転がして移動させることにより、引越しなどものを搬送させる際に使用することができる。
また、本実施形態のケース１の材質としては、例えば、布、レザー、合皮、金属、紙、アクリル、プラスティックなどが考えられる。
【００１９】
図２（ａ）は、収納部２−１〜２−８を開いた状態の環状収納部２を示す図である。図２（ｂ）は、図２（ａ）に示す環状収納部２を矢印Ｂ方向から見た図である。図２（ｃ）は、環状収納部２の斜視図である。
【００２０】
図２（ａ）〜図２（ｃ）に示すように、環状収納部２は、それぞれ同一形状の収納部２−１〜２−８が並んで構成されている。図２（ｃ）に示すように、各収納部２−１〜２−８は、それぞれ、底面ａ及びその底面ａを囲む３つの側面ｂ〜ｄを有している。各収納部２−１〜２−８のそれぞれの一側面ｃは、図１（ｃ）に示すように、各収納部２−１〜２−８がそれぞれ開口部を内側にして中心収納部３の周囲を囲み、両端の収納部２−１、２−８同士がホック４によって連結されると、隣り合う収納部同士において共通の側面になる。なお、収納部２−８には開閉可能なもう１つの側面ｅを有しており、収納部２−１〜２−８を開くときに収納部２−８からものが飛び出ないようにしている。また、収納部２−１、２−８同士を連結するための構成としては、ホック４以外にもベルクロテープやファスナーなどが考えられる。また、各収納部２−１〜２−８のそれぞれの内部を仕切りで分けてもよい。
【００２１】
本実施形態のケース１は、図２（ｃ）のように、収納部２−１〜２−８を開いた状態で収納部２−１〜２−８にものを収納することでディスプレイ用のケースとして使用することができる。
【００２２】
図３（ａ）は、中心収納部３を構成する各収納部を開いた状態を示す図である。図３（ｂ）は、図３（ａ）に示す中心収納部３を矢印Ｃ方向から見た図である。図３（ｃ）は、中心収納部３の斜視図である。
【００２３】
図３（ａ）及び図３（ｂ）に示すように、中心収納部３は、それぞれ同一形状の収納部３−１、３−２が並んで構成されている。収納部３−１、３−２のそれぞれの開口部同士が合わされると、図３（ｃ）に示すように、八角形の底面をもつ柱体となり、この中心収納部３にも、ものを収納することができるようになっている。中心収納部３も環状収納部２と同様にジュエリーやリストウォッチなど様々なものを収納することができる。
【００２４】
図４は、本願考案の他の実施形態のケースを示す図である。図１（ａ）〜図１（ｃ）に示す構成と同じ構成には同じ符号を付している。
図４に示すケース５は、環状収納部２の外側に、さらに別の８つの収納部６−１〜６−８から構成される環状収納部が配置され、全体の形状が八角形の底面をもつ柱体になっている。
【００２５】
また、図５は、本願考案のさらに他の実施形態のケースを示す図である。なお、図４に示すケースと同様な構成には同じ符号を付している。
図５に示すケース７は、図４に示すケース４と同様に、環状収納部２の外側に、さらに別の８つの収納部６−１〜６−８から構成される環状収納部が配置され、全体の形状が八角形の底面をもつ柱体になっている。図５に示すケース７は、図４に示すケース５の側面を一方向から潰したような形状になっている。
【００２６】
なお、上記実施形態では、環状収納部が８個の収納部を備えて構成されているが、環状収納部を構成するための収納部の数は限定されない。例えば、収納部が６個の場合は、全体の形状を六角形の底面をもつ柱体にすることができ、収納部が１２個の場合は、全体の形状を１２角形の底面をもつ柱体にすることができる。
【００２７】
また、上記実施形態では、収納部を２重構造や３重構造にしてケース１、５、７を構成しているが、収納部を４重構造以上にしてケース１、５、７を構成してもよい。
また、上記実施形態では、ケース１、５、７の全体の形状が多角形の底面をもつ柱体に形成される構成であるが、ケース１、５、７の全体の形状は円柱など特には限定されない。
【００２８】
また、上記実施形態では、中心収納部２の全体の形状が多角形の底面をもつ柱体に形成される構成であるが、中心収納部２の全体の形状は円柱など特には限定されない。
【図面の簡単な説明】
【００２９】
【図１】本願考案の実施形態のケースを示す図である。
【図２】環状収納部を示す図である。
【図３】中心収納部を示す図である。
【図４】本願考案の他の実施形態のケースを示す図である。
【図５】本願考案のさらに他の実施形態のケースを示す図である。
【符号の説明】
【００３０】
１  ケース
２  環状収納部
２−１〜２−８  収納部
３  中心収納部
４  ホック
５  ケース
６  環状収納部
７  ケース
【図１】
0003132176.tif 000003
【図２】
0003132176.tif 000004
【図３】
0003132176.tif 000005
【図４】
0003132176.tif 000006
【図５】
0003132176.tif 000007